(57)【特許請求の範囲】
【請求項１】
ハーフミラーの裏面に設けられて、第１の発光部と該ハーフミラーを介して対向する被検知物を非接触で検知する第１の非接触センサとを有する第１のスイッチと、
該第１の非接触センサによる被検知物の検知の有無に応じて、使用者による該第１のスイッチの操作の有無を認識するスイッチ操作認識手段と、
前記ハーフミラーの裏面に設けられて、該ハーフミラーを介して対向する被検知物を非接触で検知する第２の非接触センサと、
前記第１の発光部を消灯して、前記スイッチ操作認識手段による前記第１のスイッチの操作の有無の認識を禁止するスイッチ操作不能モードと、前記第１の発光部を点灯して、前記スイッチ操作認識手段による前記第１のスイッチの操作の有無の認識を許可するスイッチ操作可能モードとを切替え、該スイッチ操作不能モードにおいて、前記第２の非接触センサにより被検知物が検知されたときに、前記スイッチ操作可能モードに切替えるモード切替手段と、
第２の発光部と前記第２の非接触センサとを有する第２のスイッチとを備え、
前記スイッチ操作認識手段は、前記第２の非接触センサによる被検知物の検知の有無に応じて、使用者による該第２のスイッチの操作の有無を認識し、
前記モード切替手段は、前記スイッチ操作不能モードにおいて、前記第２の発光部を消灯して、前記スイッチ操作認識手段による前記第２のスイッチの操作の有無の認識を禁止し、前記スイッチ操作可能モードにおいて、前記第２の発光部を点灯して、前記スイッチ操作認識手段による前記第２のスイッチの操作の有無の認識を許可することを特徴とするスイッチ入力装置。
【請求項２】
前記スイッチ操作可能モードにおいては、前記第２の非接触センサの感度を第１の感度とし、前記スイッチ操作不能モードにおいては、前記第２の非接触センサの感度を第１の感度よりも高い第２の感度とする感度切替手段を備えたことを特徴とする請求項１記載のスイッチ入力装置。
【請求項３】
前記モード切替手段は、前記スイッチ操作可能モードにおいて、前記スイッチ操作認識手段により、前記第１のスイッチと前記第２のスイッチのうちのいずれについても操作が認識されない状態が所定時間以上継続したときに、前記スイッチ操作不能モードに切替えることを特徴とする請求項１又は請求項２記載のスイッチ入力装置。
【請求項４】
前記第２のスイッチを複数個備え、
前記モード切替手段は、前記スイッチ不能モードにおいて、該複数個の第２のスイッチの前記第２の非接触センサのうちの少なくともいずれか１個により被検知物が検知されたときに、前記スイッチ操作可能モードに切替えることを特徴とする請求項１から請求項３のうちいずれか１項記載のスイッチ入力装置。
【請求項５】
給湯器を遠隔操作するリモコンを構成し、
前記ハーフミラーの裏面に設けられて、前記給湯器が給湯運転状態にあるときに、前記スイッチ操作可能モード及び前記スイッチ操作不能モードのいずれにおいても、該給湯器が給湯運転中であることを点灯表示する給湯運転表示手段を備えたことを特徴とする請求項１から請求項４のうちいずれか１項記載のスイッチ入力装置。
【発明の詳細な説明】
【技術分野】
【０００１】
本発明は、浴室や洗面所等に設置されて、給湯器等の機器を操作するためのスイッチ入力装置に関する。
【背景技術】
【０００２】
従来より、例えば、屋外に設置された給湯器を遠隔操作するためのリモコン装置が浴室の壁面に取り付けされている（例えば、特許文献１参照）。そして、かかるリモコン装置には、給湯器の作動を指示するための各種のスイッチが配置されているが、使用者の操作性や視認性を考慮すると、これらのスイッチはある程度の大きさを有する必要がある。
【０００３】
そのため、リモコン装置自体のサイズも大きくなり、リモコン装置を設置したときに、浴室の全体的なデザインとのミスマッチが生じて、浴室の美観が損なわれる場合があった。
【特許文献１】特開２００２−１７１５８３号公報
【発明の開示】
【発明が解決しようとする課題】
【０００４】
本発明は上記背景を鑑みてなされたものであり、設置されたときに周囲のデザインの美観が損なわれることを抑制したスイッチ入力装置を提供することを目的とする。
【課題を解決するための手段】
【０００５】
本発明は上記目的を達成するためになされたものであり、ハーフミラーの裏面に設けられて、第１の発光部と該ハーフミラーを介して対向する被検知物を非接触で検知する第１の非接触センサとを有する第１のスイッチと、該第１の非接触センサによる被検知物の検知の有無に応じて、使用者による該第１のスイッチの操作の有無を認識するスイッチ操作認識手段と、記ハーフミラーの裏面に設けられて、該ハーフミラーを介して対向する被検知物を非接触で検知する第２の非接触センサと、前記第１の発光部を消灯して、前記スイッチ操作認識手段による前記第１のスイッチの操作の有無の認識を禁止するスイッチ操作不能モードと、前記第１の発光部を点灯して、前記スイッチ操作認識手段による前記第１のスイッチの操作の有無の認識を許可するスイッチ操作可能モードとを切替え、該スイッチ操作不能モードにおいて、前記第２の非接触センサにより被検知物が検知されたときに、前記スイッチ操作可能モードに切替えるモード切替手段と、第２の発光部と前記第２の非接触センサとを有する第２のスイッチとを備え、前記スイッチ操作認識手段は、前記第２の非接触センサによる被検知物の検知の有無に応じて、使用者による該第２のスイッチの操作の有無を認識し、前記モード切替手段は、前記スイッチ操作不能モードにおいて、前記第２の発光部を消灯して、前記スイッチ操作認識手段による前記第２のスイッチの操作の有無の認識を禁止し、前記スイッチ操作可能モードにおいて、前記第２の発光部を点灯して、前記スイッチ操作認識手段による前記第２のスイッチの操作の有無の認識を許可することを特徴とする。
【０００６】
かかる本発明によれば、前記スイッチ操作不能モードにおいては、前記第１のスイッチの第１の発光部が消灯しているため、使用者は前記ハーフミラーの表面側から前記第１のスイッチを視認することができない。そして、使用者が前記第２の非接触センサに手（被検知物）を近づけて、該第２の非接触センサにより使用者の手が検知されたときに、前記モード切替手段により前記スイッチ操作不能モードから前記スイッチ操作可能モードに切替えられて、前記第１の発光部が点灯する。これにより、前記第１のスイッチが使用者に視認されて、使用者による前記第１のスイッチの操作が可能となる。このように、本発明によれば、前記第１のスイッチは、使用者が操作するとき以外は使用者から視認されないため、前記第１のスイッチを設置することで、周囲のデザインとのミスマッチが生じて美観が損なわれることを抑制することができる。
【００１４】
さらに、本発明によれば、前記第２のスイッチに備えられた前記第２の非接触センサによる使用者の手の検知により、前記スイッチ操作不能モードから前記スイッチ操作可能モードへの切替えが行われると共に、前記第２の非接触センサによる使用者の指の検知により、前記第２のスイッチの操作が認識される。そして、このように、前記第２の非接触センサを、前記スイッチ操作不能モードから前記スイッチ操作可能モードへの切替えと、前記第２のスイッチの操作の認識に兼用することで、前記第２の非接触センサを前記スイッチ操作不能モードから前記スイッチ操作可能モードへの切替え操作のために専用に設ける場合に比べて、コストの低減と設置スペースの減少を図ることができる。
【００１５】
また、前記スイッチ操作可能モードにおいては、前記第２の非接触センサの感度を第１の感度とし、前記スイッチ操作不能モードにおいては、前記第２の非接触センサの感度を第１の感度よりも高い第２の感度とする感度切替手段を備えたことを特徴とする。
【００１６】
かかる本発明によれば、前記スイッチ操作不能モードにおいては、前記第２の非接触センサの感度を高くして被検知物である使用者の手が検知され易くすることで、使用者による前記スイッチ操作不能モードから前記スイッチ操作可能モードへの切替え操作を容易にすることができる。一方、前記スイッチ操作可能モードにおいては、前記第２の非接触センサの感度を低くして被検知物である使用者の指の誤検知を抑制することができる。
【００１７】
また、前記モード切替手段は、前記スイッチ操作可能モードにおいて、前記スイッチ操作認識手段により、前記第１のスイッチと前記第２のスイッチのうちのいずれについても操作が認識されない状態が所定時間以上継続したときに、前記スイッチ操作不能モードに切替えることを特徴とする。
【００１８】
かかる本発明によれば、前記スイッチ操作可能モードにおいて、使用者が前記第１のスイッチと前記第２のスイッチのうちのいずれも操作しない状態が前記所定時間以上継続した場合には、使用者がその後直ぐに前記第１のスイッチ及び前記第２のスイッチを操作する意思がないと想定される。そこで、この場合に、前記モード切替手段により前記スイッチ操作不能モードに切替えて、前記第２のスイッチの第２の発光部を消灯することによって、前記第２のスイッチが視認可能な状態に維持されて周囲のデザインとのミスマッチにより美観を損ねることを防止することができると共に、該第２の発光部の点灯による電力消費を回避することができる。
【００１９】
また、前記第２のスイッチを複数個備え、前記モード切替手段は、前記スイッチ不能モードにおいて、該複数個の第２のスイッチの前記第２の非接触センサのうちの少なくともいずれか１個により被検知物が検知されたときに、前記スイッチ操作可能モードに切替えることを特徴とする。
【００２０】
かかる本発明によれば、前記第２のスイッチを複数個備えることによって、各第２のスイッチの前記第２の非接触センサにより被検知物である使用者の手が検知される総範囲が広くなるため、使用者による前記スイッチ操作不能モードから前記スイッチ操作可能モードへの切替え操作を容易にすることができる。
【００２１】
また、給湯器を遠隔操作するリモコンを構成し、前記ハーフミラーの裏面に設けられて、前記給湯器が給湯運転状態にあるときに、前記スイッチ操作可能モード及び前記スイッチ操作不能モードのいずれにおいても、該給湯器が給湯運転中であることを点灯表示する給湯運転表示手段を備えたことを特徴とする。
【００２２】
かかる本発明によれば、前記給湯器が給湯運転状態にあるときには、前記スイッチ操作可能モード及び前記スイッチ操作不能モードのいずれにおいても、前記給湯運転表示手段による点灯表示を行うことで、使用者による前記給湯器の動作確認を容易にすることができる。
【発明を実施するための最良の形態】
【００２３】
本発明の実施の形態について、図１〜図６を参照して説明する。図１は本発明のスイッチ入力装置の構成を含む給湯器のリモコン装置の設置態様の説明図、図２，図３は図１に示したリモコン装置の構成図、図４〜図６はリモコン装置におけるスイッチ入力処理のフローチャートである。
【００２４】
図１（ａ）を参照して、リモコン装置１は、屋外又は屋内に設置された給湯器（図示しない）を遠隔操作するためのものであり、浴室の壁面に設置されたハーフミラー２の裏面に配置される。ここで、ハーフミラー２は、透明なガラス板の裏面に半透光性の反射コーティング層を被着させて形成されている。
【００２５】
そして、ハーフミラー２の表面から入射された光は反射コーティング層で反射され、ハーフミラー２の裏面から入射された光は反射コーティング層を透過してハーフミラー２の表面に到達する。そのため、リモコン装置１に備えられたスイッチや表示部（詳細は後述する）が消灯しているときは使用者はリモコン装置１を視認できず、ハーフミラー２は鏡として機能する。一方、リモコン装置１に備えられたスイッチや表示部が点灯すると、スイッチや表示部からの光がハーフミラー２の表面に達するため、使用者はリモコン装置１を視認することができる。
【００２６】
そこで、リモコン装置１は、図１（ａ）に示したように、スイッチの操作が不要なときは、スイッチ及び表示部を消灯してリモコン装置１が使用者から視認されない状態とし、これにより、浴室のデザインとリモコン装置１の外観とのミスマッチにより、浴室の美観が損なわれることを抑制している。そして、図１（ｂ）に示したように、使用者がハーフミラー２のリモコン装置１が配置された箇所に手をかざして、使用者の手が検知されたときに、スイッチや表示部を点灯させてリモコン装置１が視認されるようにし、これにより、使用者によるスイッチの操作を可能としている。
【００２７】
次に、図２を参照して、リモコン装置１には、給湯器の作動状態等を表示する表示部１０と、台所等に設置された他のリモコン装置（図示しない）で呼出しを行うための呼出スイッチ２０、他のリモコン装置による給湯温度の設定を無効として、リモコン装置１による給湯温度の設定を優先させることを指示する優先スイッチ２１、ＵＰスイッチ２４とＤＯＷＮスイッチ２３による変更対象（給湯温度、湯張り温度、湯張り量等）を切替える選択スイッチ２２、浴槽（図示しない）に高温の湯を所定量供給する「足し湯」の実行を指示するたし湯スイッチ２５、浴槽に水を所定量供給する「ぬる湯」の実行を指示するぬる湯スイッチ２６、給湯器を給湯動作が可能な運転状態と給湯動作が不能な待機状態とに切替える運転スイッチ２７、浴槽内の湯を加熱する追焚き運転の実行を指示する追焚スイッチ２８、浴槽に所定量の湯を供給する自動湯張り運転の実行を指示する自動スイッチ２９、及びスピーカ３０が備えられている。
【００２８】
そして、表示部１０には、給湯運転の実行時に点灯する給湯燃焼表示部１２（本発明の給湯運転表示手段に相当する）、給湯温度を表示する給湯温度表示部１１、時刻を表示する時計表示部１３、浴槽内の湯の保温動作中に点灯する保温表示部１４、追焚き運転の実行中に点灯する風呂燃焼表示部１５、浴槽への湯張り量の目安を表示する水位表示部１６、及び湯張り温度を表示する風呂温度表示部１７が備えられている。
【００２９】
また、リモコン装置１には、マイコン５１等が搭載された制御基板５０が備えられ、該マイコン５１によりリモコン装置１の作動が制御される。マイコン５１には、各スイッチが操作されたことを認識するスイッチ操作認識手段６０、各スイッチを消灯してスイッチ操作認識手段６０による各スイッチの操作の有無の認識を禁止する「スイッチ操作不能モード」と、各スイッチを点灯してスイッチ操作認識手段６０による各スイッチの操作の有無の認識を許可する「スイッチ操作可能モード」とを切替えるモード切替手段６１、及び呼出スイッチ２０，優先スイッチ２１，選択スイッチ２２の感度を、感度切替回路５２を介して「高」／「低」の２段階に切替える感度切替手段６２が備えられている。
【００３０】
次に、図３はリモコン装置３の縦断面図であり、ハーフミラー２の裏面αに表示部１０が搭載された制御基板５０が配置されている。また、各スイッチ２０〜２９は、ハーフミラー２の裏面に貼着されたフィルム電極７０及び制御基板５０に搭載されて該フィルム電極７０と接続された検出回路からなる静電容量式の非接触センサと、各スイッチ２０〜２９を点灯状態とするためのＬＥＤ７１とを有している。なお、フィルム電極７０に代えて、基板に形成された電極を用いて静電容量式の非接触センサを構成してもよい。
【００３１】
なお、呼出スイッチ２０、優先スイッチ２１、選択スイッチ２２、ＤＯＷＮスイッチ２３、ＵＰスイッチ２４、たし湯スイッチ２５、ぬる湯スイッチ２６、運転スイッチ２７、追焚きスイッチ２８、及び自動スイッチ２９が、本発明の第１のスイッチに相当する。そして、これらのスイッチ２０〜２９を構成する静電容量式の非接触センサとＬＥＤ７１が、それぞれ本発明の第１の非接触センサと第１の発光部に相当する。
【００３２】
また、呼出スイッチ２０、優先スイッチ２１、及び選択スイッチ２２は、本発明の第２のスイッチにも相当する。そして、これらのスイッチ２０〜２２を構成する静電容量式の非接触センサとＬＥＤ７１が、それぞれ本発明の第２の非接触センサと第２の発光部に相当する。そして、各スイッチ２０〜２９、スイッチ操作認識手段６０、モード切替手段６１、感度切替手段６２、及び給湯燃焼表示部１２により、本発明のスイッチ入力装置が構成される。
【００３３】
ここで、感度切替手段６１により「高」感度に設定されたときは、呼出スイッチ２０，優先スイッチ２１，選択スイッチ２２に備えられたフィルム電極７０と対向するハーフミラー２の表面βから５ｃｍ以内に所在する静電体（使用者の手を想定）の検出が可能である。一方、「低」感度に設定されたときには、呼出スイッチ２０，優先スイッチ２１，選択スイッチ２２に備えられたフィルム電極７０と対向するハーフミラー２の表面βから０ｃｍ以内に所在する静電体（使用者の指を想定）の検出が可能である。また、呼出スイッチ２０，優先スイッチ２１，選択スイッチ２２以外のスイッチは、いずれも「低」感度に固定されている。
【００３４】
次に、図４〜図６に示したフローチャートに従って、リモコン装置１におけるスイッチ入力処理の実行手順について説明する。給湯器からリモコン装置１への電源供給が開始されると、マイコン５１は作動を開始する。このとき、マイコン５１は、初期状態としてスイッチ２０〜２９を消灯状態（各スイッチに備えられたＬＥＤ７１を消灯した状態）とすると共に、表示部１０も消灯状態とする。そのため、使用者にはリモコン装置１が認識されず、スイッチ操作認識手段６０によるスイッチ２０〜２９の操作の有無の認識が禁止された「スイッチ操作不能モード」となる。
【００３５】
そして、図４のＳＴＥＰ１で、感度切替手段６２は、呼出スイッチ２０，優先スイッチ２１，選択スイッチ２２の感度を上述した「高」感度とし、呼出スイッチ２０，優先スイッチ２１，選択スイッチ２２の付近にかざされた使用者の手を検知可能な状態とする。また、続くＳＴＥＰ２及びＳＴＥＰ３はモード切替手段６１による処理であり、モード切替手段は、ＳＴＥＰ２で呼出スイッチ２０，優先スイッチ２１，選択スイッチ２２のいずれかがＯＮしたとき（スイッチ２０，２１，２２に備えられた非接触センサのいずれかにより静電体（使用者の手を想定）が検知されたとき）に、ＳＴＥＰ３に進む。
【００３６】
そして、ＳＴＥＰ３で、呼出スイッチ２０，優先スイッチ２１，選択スイッチ２２の全てがＯＦＦ（スイッチ２０，２１，２２に備えられた非接触センサのいずれも静電体を検出していない状態）となったときに、ＳＴＥＰ４に進む。モード切替手段６１は、ＳＴＥＰ４で運転スイッチ２７を点滅（運転スイッチ２７に備えられたＬＥＤ７１を点滅）させ、ＳＴＥＰ５で１０分タイマをスタートさせる。
【００３７】
そして、モード切替手段６１は、続くＳＴＥＰ６とＳＴＥＰ２０からなるループを実行し、運転スイッチ２７について、スイッチ操作認識手段６０によるスイッチ操作の有無の認識を許可する「スイッチ操作可能モード」とする。ＳＴＥＰ６でスイッチ操作認識手段６０により運転スイッチ２７がＯＮしたこと（使用者が運転スイッチ２７を操作したこと）が認識されたときはＳＴＥＰ７に進み、マイコン５１は、給湯器に対して、「停止状態」から「待機状態」への切替えを指示する制御信号を送信する。これにより、給湯器は待機状態となる。そして、図５のＳＴＥＰ８に進む。
【００３８】
一方、ＳＴＥＰ６で運転スイッチ２７がＯＮしたことが認識されていないときにはＳＴＥＰ２０に分岐し、ＳＴＥＰ２０で１０分タイマがタイムアップしたとき、すなわち、「スイッチ操作可能モード」において、運転スイッチ２７がＯＮしたことが認識されることなく１０分（本発明の所定時間に相当する）が経過したときには、ＳＴＥＰ２１に進む。そして、マイコン５１は、運転スイッチ２７を消灯（運転スイッチ２７に備えられたＬＥＤ７１を消灯）し、次のＳＴＥＰ２２で、給湯器に対して「待機状態」から「停止状態」への切替えを指示する制御信号を送信する。これにより、給湯器は停止状態となる。そして、ＳＴＥＰ２に進んで「スイッチ操作不能モード」に切替わる。
【００３９】
図５のＳＴＥＰ８で、感度切替手段６２は、呼出スイッチ２０，優先スイッチ２１，選択スイッチ２２の感度を「低」感度に切替え、これらのスイッチの操作の誤認識を防止した上でこれらのスイッチの操作を可能とする。また、モード切替手段６１は、続くＳＴＥＰ９で各スイッチ２０〜２９を点灯（各スイッチに備えられたＬＥＤ７１を点灯）し、ＳＴＥＰ１０で表示部１０を点灯する。これにより、各スイッチ２０〜２９と表示部１０が使用者から視認される状態となる。
【００４０】
そして、モード切替手段６１は、次のＳＴＥＰ１１で３分タイマをスタートさせ、ＳＴＥＰ１２とＳＴＥＰ３０からなるループを実行して、ＳＴＥＰ１２でスイッチ操作認識手段６０により、各スイッチが使用者により操作されてＯＮしたことを認識する「スイッチ操作可能モード」とする。
【００４１】
ＳＴＥＰ１２で、スイッチ操作認識手段６０によりいずれかのスイッチがＯＮした（操作された）ことが認識されたときはＳＴＥＰ１３に進み、ＯＮしたスイッチが運転スイッチ２７でなかったときはＳＴＥＰ１４に進む。そして、マイコン５１はＯＮしたスイッチに応じた処理を実行してＳＴＥＰ１１に戻る。また、ＳＴＥＰ１３で、ＯＮしたスイッチが運転スイッチ２７であったときにはＳＴＥＰ４０に分岐する。
【００４２】
そして、マイコン５１は、ＳＴＥＰ４０で各スイッチを消灯し、ＳＴＥＰ４１で表示部１０を消灯する。また、続くＳＴＥＰ４２で、マイコン５１は、給湯器に対して「待機状態」から「停止状態」への切替えを指示する制御信号を送信し、これにより、給湯器は停止状態となる。続くＳＴＥＰ４３は感度切替手段６２による処理であり、感度切替手段６２は、呼出スイッチ２０，優先スイッチ２１，選択スイッチ２２の感度を「高」感度に設定する。そして、次のＳＴＥＰ４４で全てのスイッチがＯＦＦとなるのを待って図４のＳＴＥＰ２に戻る。
【００４３】
また、ＳＴＥＰ１２でいずれのスイッチもＯＮしていないときにはＳＴＥＰ３０に分岐し、ＳＴＥＰ３０で３分タイマがタイムアップしていなければＳＴＥＰ１２に分岐する。一方、ＳＴＥＰ３０で３分タイマがタイムアップしていたとき、すなわち、「スイッチ操作可能モード」において、いずれのスイッチも操作されることなく３分（本発明の所定時間に相当する）が経過したときには、ＳＴＥＰ３１に進む。そして、モード切替手段６１は、ＳＴＥＰ３１で各スイッチ２０〜２９を消灯して図６のＳＴＥＰ３２に進む。
【００４４】
モード切替手段６１は、ＳＴＥＰ３２で呼出スイッチ２０，優先スイッチ２１，選択スイッチ２２を「高」感度に切替え、ＳＴＥＰ３３で、呼出スイッチ２０，優先スイッチ２１，選択スイッチ２２のいずれかがＯＮするのを待つ。これにより、スイッチ操作認識手段６０による各スイッチの操作の認識が禁止され、「スイッチ操作可能モード」から「スイッチ操作不能モード」に切替わる。
【００４５】
そして、ＳＴＥＰ３３で、呼出スイッチ２０，優先スイッチ２１，選択スイッチ２２のいずれかがＯＮしたときにＳＴＥＰ３４に進み、ＳＴＥＰ３４で呼出スイッチ２０，優先スイッチ２１，選択スイッチ２２の全てがＯＦＦしたときに、図５のＳＴＥＰ８に進む。
【００４６】
なお、本実施の形態においては、呼出スイッチ２０，優先スイッチ２１，選択スイッチ２２に備えられた非接触センサを本発明の第２の非接触センサとして用いたが、本発明の第２の非接触センサをこれらのスイッチとは別個に設けるようにしてもよい。
【００４７】
また、本実施の形態においては、呼出スイッチ２０，優先スイッチ２１，選択スイッチ２２の感度を、「スイッチ操作不能モード」では「高」感度とし、「スイッチ操作可能モード」では「低」感度としたが、このような感度の切替えを行わない場合にも本発明の効果を得ることができる。
【００４８】
また、本実施の形態では、「スイッチ操作不能モード」から「スイッチ操作可能モード」への切替えを、呼出スイッチ２０，優先スイッチ２１，選択スイッチ２２という３個のスイッチのいずれかによる使用者の手の検知に基づいて行ったが、２個以下或いは４個以上のスイッチにより、使用者の手を検知するようにしてもよい。
【００４９】
また、本実施の形態では、図４のＳＴＥＰ６とＳＴＥＰ２０からなるループ、及び図５のＳＴＥＰ１２とＳＴＥＰ３０からなるループにおいて、スイッチが操作されずに所定時間が経過したときに、「スイッチ操作可能モード」から「スイッチ操作不能モード」に切替えたが、他の条件（例えば、特定のスイッチの長押し操作等）により、「スイッチ操作可能モード」から「スイッチ操作不能モード」に切替えるようにしてもよい。
【００５０】
また、本実施の形態においては、給湯器が運転状態にあるときには「スイッチ操作不能モード」においても表示部１０を点灯するようにしたが、「スイッチ操作不能モード」においては表示部１０を消灯するようにしてもよい。或いは、「スイッチ操作不能モード」においては、給湯燃焼表示部１２及び風呂燃焼表示部１５のみを点灯して、表示部１０の他の部分については消灯するようにしてもよい。
【００５１】
また、本実施の形態では、本発明のスイッチ入力装置を給湯器のリモコン装置に適用した例を示したが、本発明の適用対象はこれに限られず、鏡が取り付けられた場所に設置されるスイッチ入力装置であれば本発明の適用が可能である。
【００５２】
また、本実施の形態では、本発明の第１の非接触センサ及び第２の非接触センサとして、静電容量式の非接触センサを用いたが、発光部と受光部を備えて近接物を検知する反射型の光センサ等、他の種類の非接触センサを用いてもよい。
【００５３】
また、本実施の形態では、リモコン装置１に呼出スイッチ２０を備えた例を示したが、他のリモコン装置との間でインターホン通話を行う機能を備える場合には、呼出スイッチ２０に代えて通話スイッチとマイク／スピーカが設けられる。この場合は、該通話スイッチが本発明の第１のスイッチ及び第２のスイッチに相当する。
【図面の簡単な説明】
【００５４】
【図１】本発明のスイッチ入力装置の構成を含む給湯器のリモコン装置の設置態様の説明図。
【図２】図１に示したリモコン装置の構成図。
【図３】図１に示したリモコン装置の構成図。
【図４】リモコン装置におけるスイッチ入力処理のフローチャート。
【図５】リモコン装置におけるスイッチ入力処理のフローチャート。
【図６】リモコン装置におけるスイッチ入力処理のフローチャート。
【符号の説明】
【００５５】
１…リモコン装置、２…ハーフミラー、１０…表示部、１２…給湯燃焼表示部（給湯運転表示手段）、２０…呼出スイッチ（第１のスイッチ，第２のスイッチ）、２１…優先スイッチ（第１のスイッチ，第２のスイッチ）、２２…選択スイッチ（第１のスイッチ，第２のスイッチ）、２３…ＵＰスイッチ（第１のスイッチ）２５…たし湯スイッチ（第１のスイッチ）、２６…ぬる湯スイッチ（第１のスイッチ）、２７…運転スイッチ（第１のスイッチ）、２８…追焚きスイッチ（第１のスイッチ）、２９…自動スイッチ（第１のスイッチ）、５０…制御基板、６０…スイッチ操作認識手段、６１…モード切替手段、６２…感度切替手段、７０…フィルム電極、７１…ＬＥＤ（第１及び第２の発光部）
【図１】
0004490356.tif 000002
【図２】
0004490356.tif 000003
【図３】
0004490356.tif 000004
【図４】
0004490356.tif 000005
【図５】
0004490356.tif 000006
【図６】
0004490356.tif 000007